(57)【特許請求の範囲】
【請求項１】
文章を閲覧可能に表示する閲覧データを出力する閲覧アプリケーション手段と、
前記閲覧アプリケーション手段から出力される前記閲覧データと当該閲覧データの速読要求を受け付ける速読ボタンとを表示する表示手段と、
前記速読要求を受け付けたとき、前記閲覧アプリケーション手段に対して、前記閲覧データの取得要求を行い、閲覧対象の前記閲覧データを取得する閲覧データ要求手段と、
取得された前記閲覧データの文章に対し、速読ビューアデータに変換する際に使用する、表示フォーマット変換、表示速度変換、スクロール変換を行うための設定データを保存する設定データ保存手段と、
前記速読要求を受け付けたとき、前記閲覧データ要求手段において取得された前記閲覧データの文章を抽出し、抽出された前記文章に対し、保存された前記設定データを参照して、前記設定データに従った前記表示フォーマット変換を行い、前記表示フォーマット変換された文章に対して、前記設定データに従って前記表示速度および前記スクロールが制御される速読ビューアデータを生成し、当該速読ビューアデータを前記閲覧データに替えて前記表示手段に表示させるとともに、当該速読ビューアデータから前記閲覧データに表示を切り替える戻るボタンを前記表示手段に表示させる速読ビューア制御手段と、
を備え、
前記速読ビューア制御手段は、
前記閲覧データ要求手段において取得された前記閲覧データに、図又は写真が含まれるときは、文章部分のみを抽出し、抽出された文章に対して、前記設定データ保存手段の前記設定データに従い、前記速読ビューアデータに変換することを特徴とする電子文章閲覧装置。
【請求項２】
前記速読ビューア制御手段は、
前記速読要求を受け付けたとき、前記閲覧データを表示している第１表示画面とは異なる、前記設定データに従ったレイアウトの第２表示画面で、前記速読ビューアデータを前記表示手段に表示させる
ことを特徴とする請求項１に記載の電子文章閲覧装置。
【請求項３】
前記設定データ保存手段は、
前記表示フォーマット変換を行うための設定データとして、縦書表示又は横書表示の選択データ、使用フォントの選択データ、フォントサイズの選択データ、行間の選択データの少なくとも何れか１つを有し、
前記表示速度変換を行うための選択データとして、表示速度の選択データを有し、
前記スクロール変換を行うための情報データとして、ページスクロール又は行スクロールの選択データを有する
ことを特徴とする請求項１に記載の電子文章閲覧装置。
【請求項４】
表示された前記速読ボタンが選択されると、前記閲覧データから前記速読ビューアデータの表示になり、
表示された前記戻るボタンが選択されると、前記速読ビューアデータから前記閲覧データの表示になる
ことを特徴とする請求項１に記載の電子文章閲覧装置。
【請求項５】
前記設定データ保存手段に保存された設定データに変更があるときは、
前記設定データ保存手段から前記速読ビューア制御手段へ前記設定データに変更があった旨の変更通知を行い、
前記速読ビューア制御手段は、
前記変更通知に呼応して、前記速読ビューアデータに対して、前記設定データに従った、前記表示フォーマット変換、前記表示速度変換、および前記スクロール変換の変更を行う
ことを特徴とする請求項１に記載の電子文章閲覧装置。
【請求項６】
文章を閲覧可能に表示する閲覧データを出力する閲覧アプリケーションステップと、
前記閲覧アプリケーションステップにおいて出力される前記閲覧データと当該閲覧データの速読要求を受け付ける速読ボタンとを表示する表示ステップと、
前記速読要求を受け付けたとき、前記閲覧データの取得要求を行い、前記閲覧アプリケーションステップで出力される、閲覧対象の前記閲覧データを取得する閲覧データ要求ステップと、
取得された前記閲覧データの文章に対し、速読ビューアデータに変換する際に使用する、表示フォーマット変換、表示速度変換、スクロール変換を行うための設定データを保存する設定データ保存ステップと、
前記速読要求を受け付けたとき、前記閲覧データ要求ステップにおいて取得された前記閲覧データの文章を抽出し、抽出された前記文章に対し、保存された前記設定データを参照して、前記設定データに従った前記表示フォーマット変換を行い、前記表示フォーマット変換された文章に対して、前記設定データに従って前記表示速度および前記スクロールが制御される速読ビューアデータを生成し、当該速読ビューアデータを前記閲覧データに替えて表示するとともに、当該速読ビューアデータから前記閲覧データに表示を切り替える戻るボタンを表示する速読ビューア制御ステップと、
を含み、
前記速読ビューア制御ステップにおいて、
前記閲覧データ要求ステップにおいて取得された前記閲覧データに、図又は写真が含まれるときは、文章部分のみを抽出し、抽出された文章に対して、前記設定データ保存ステップで保存される前記設定データに従い、前記速読ビューアデータに変換することを特徴とする電子文章閲覧方法。
【請求項７】
文章を閲覧可能に表示する閲覧データを出力する閲覧アプリケーション手順と、
前記閲覧アプリケーション手順で出力される前記閲覧データと当該閲覧データの速読要求を受け付ける速読ボタンとを表示する表示手順と、
前記速読要求を受け付けたとき、前記閲覧データの取得要求を行い、前記閲覧アプリケーション手順で出力される、閲覧対象の前記閲覧データを取得する閲覧データ要求手順と、
取得された前記閲覧データの文章に対し、速読ビューアデータに変換する際に使用する、表示フォーマット変換、表示速度変換、スクロール変換を行うための設定データを保存する設定データ保存手順と、
前記速読要求を受け付けたとき、前記閲覧データ要求手順において取得された前記閲覧データの文章を抽出し、抽出された前記文章に対し、保存された前記設定データを参照して、前記設定データに従った前記表示フォーマット変換を行い、前記表示フォーマット変換された文章に対して、前記設定データに従って前記表示速度および前記スクロールが制御される速読ビューアデータを生成し、当該速読ビューアデータを前記閲覧データに替えて表示するとともにと、当該速読ビューアデータから前記閲覧データに表示を切り替える戻るボタンを表示する速読ビューア制御手順と、
をコンピュータに実行させ、
さらに、前記速読ビューア制御手順において、
前記閲覧データ要求手順において取得された前記閲覧データに、図又は写真が含まれるときは、文章部分のみを抽出し、抽出された文章に対して、前記設定データ保存手順で保存される前記設定データに従い、前記速読ビューアデータに変換する手順をコンピュータに実行させることを特徴とする電子文章閲覧プログラム。
【請求項８】
文章を閲覧可能に表示する閲覧データを出力する閲覧アプリケーション手段と、
前記閲覧アプリケーション手段から出力される前記閲覧データと当該閲覧データの速読要求を受け付ける速読ボタンとを表示する表示手段と、
前記速読要求を受け付けたとき、前記閲覧アプリケーション手段に対して、前記閲覧データの取得要求を行い、閲覧対象の前記閲覧データを取得する閲覧データ要求手段と、
取得された前記閲覧データの文章に対し、速読ビューアデータに変換する際に使用する、表示フォーマット変換、表示速度変換、スクロール変換を行うための設定データを保存する設定データ保存手段と、
前記速読要求を受け付けたとき、前記閲覧データ要求手段において取得された前記閲覧データの文章を抽出し、抽出された前記文章に対し、保存された前記設定データを参照して、前記設定データに従った前記表示フォーマット変換を行い、前記表示フォーマット変換された文章に対して、前記設定データに従って前記表示速度および前記スクロールが制御される速読ビューアデータを生成し、当該速読ビューアデータを前記閲覧データに替えて前記表示手段に表示させるとともに、当該速読ビューアデータから前記閲覧データに表示を切り替える戻るボタンを前記表示手段に表示させる速読ビューア制御手段と、
を備え、
前記速読ビューア制御手段は、
前記閲覧データ要求手段において取得された前記閲覧データに、図又は写真が含まれるときは、文章部分のみを抽出し、抽出された文章に対して、前記設定データ保存手段の前記設定データに従い、前記速読ビューアデータに変換することを特徴とする携帯電話機。
【発明の詳細な説明】
【技術分野】
【０００１】
本発明は、電子文章閲覧装置、電子文章閲覧方法、電子文章閲覧プログラム及び携帯電話機に関する。
【背景技術】
【０００２】
近年、会社の内部文書、外部文書だけでなく、インターネットの情報など、世の中には情報が溢れており、それらの情報をいかに速やかに処理するかが、仕事の効率、実績を高める第一関門である。ビジネスツールとしてパーソナルコンピュータが定着しているが、例えば、どこでも持ち運び可能な携帯電話でパーソナルコンピュータに近い効率で作業が行えるとしたら、最強の武器になると考えられる。【０００３】
また、ビジネススキルの１つに速読があり、速読を習得すると情報収集スピードが向上するため、作業効率も向上するものと思われる。一般ユーザの用途としても、電子書籍やニュースなどの文章を携帯電話等で読むケースが今後ますます増えてくると考えられる。【０００４】
以上のことから、１分間に数千文字、数万文字の速読力を持っている人を含めて、ユーザが携帯電話等によって、文章を効率よく閲覧するための機能を考案することが求められている。【０００５】
この場合、パーソナルコンピュータのメール、ドキュメントなど、パーソナルコンピュータ上での閲覧を想定した文章を携帯電話で閲覧しようとした場合、次のような理由から、パーソナルコンピュータと同等のスピードで文章を読むことは難しい。【０００６】
まず、１行あたりの文字数が携帯電話の画面サイズに収まらず、機械的に１行の途中で改行されてしまうので、読みづらい場合がある。具体的には、スクロールバーを操作して、表示される画面をスクロールすることによって表示箇所を移動させて閲覧する必要があるため、表示される画面をスクロール操作が煩雑である。【０００７】
さらに、段組がある場合、例えば、２段、３段等の段組がある文章の場合には、ページの下部から上部への移動、例えば、１段目が終わって２段目を読む動作が何度も発生する。【０００８】
さらに、表示できる画面全体の文字数も限られているため、パーソナルコンピュータで作成された膨大な量の文章を閲覧する場合には、画面の表示を切り替える操作が頻繁に発生してしまう。【０００９】
さらに、閲覧に必要なキー操作、例えば、表示の拡大、縮小などに慣れる必要がある。前記の課題は、これらのようなユーザの手動操作による時間的ロスが主な原因とされている。【００１０】
そこで、以上のような問題、課題に関連し、次のような技術が特許文献に開示されている。【００１１】
文章データをスクロールさせる場合に、視認性を向上させることによって操作性を向上させることのできるデータ表示装置が、特許文献１に開示されている。特許文献１に開示されたものは、１行表示であって、左方向へスクロールするデータ表示装置において、表示ドットのシフト時間を可変とするのみならず、シフト間隔も可変とするものである。【００１２】
また、表示形態の変更と文字サイズの変更の際の操作性を向上させながら、ユーザのニーズに応え得るデータ表示装置が、特許文献２に開示されている。特許文献２に開示されたものは、「大きめサイズ／スクロール表示」で表示された状態から逆方向にスクロールを操作して、「小さめサイズ／通常表示」に切り替えると、スクロール表示時の表示内容の終了文字から遡って、一画面分文字が表示されるものである。【００１３】
また、一覧表示された情報の中から、拡大表示させる部分の変更を、ユーザにとって容易なものとする携帯情報機器が、特許文献３に開示されている。特許文献３に開示されたものは、表示される画面に、ファイル名表示欄とともに、全体表示画面と部分拡大画面とが表示されている。全体表示画面は、現在表示対象となっているドキュメントの全体を表示させる画面である。また、この全体表示画面にはルーペ画像が表示され、部分拡大画面にはルーペ画像を中心とした部分が、拡大して表示される。部分拡大画面では、右方向に継続的にスクロール表示がなされ、これに応じて、全体表示画面におけるルーペ画像の表示位置も、右方向に移動するものである。【００１４】
また、文書データの表示範囲や、カーソルの移動操作を片手で容易できる携帯端末が、特許文献４に開示されている。特許文献４に開示されたものは、メイン処理を行うＣＰＵと、データを保持するメモリと、データを表示画面に表示する表示部と、該表示部を制御する表示制御部とを含み、前記表示部に表示しきれない前記データを、前記表示画面をスクロールすることによって前記表示部に表示する携帯端末である。この携帯端末は、前記本体自身を所定方向へ傾けることによって前記本体自身の傾き度合いを検出し、前記本体の傾き度合いによって前記スクロールした後の表示画面を前記表示部に表示させる傾斜検出部を有している。【００１５】
【特許文献１】特開２０００−３１１０４５号公報
【特許文献２】特開２００１−０２２３２７号公報
【特許文献３】特開２００５−２６７０４９号公報
【特許文献４】特開平１１−３０５９１８号公報
【発明の開示】
【００１６】
しかしながら、上記特許文献１に開示されたものは、文章データのスクロールの視認性を向上させるが、閲覧時のスクロール操作の煩雑さを解消したり、文章を効率よく閲覧することができなかった。
【００１７】
また、上記特許文献２に開示されたものは、表示形態の変更、文字サイズの変更の際の操作性を向上させることができるが、表示形態の変更、文字サイズの変更の操作性の煩雑さを解消したり、文章を効率よく閲覧することができなかった。
【００１８】
また、上記特許文献３に開示されたものは、拡大表示させる部分の変更を容易にするものではあるが、拡大表示させる操作の煩雑さを解消したり、文章を効率よく閲覧するものではなかった。
【００１９】
また、上記特許文献４に開示されたものでは、本体の傾き度合いによって前記データをスクロールするが、傾けるという操作が必要であり、スクロールの操作性の煩雑を解消したり、文章を効率よく閲覧するものではなかった。
【００２０】
本発明は上記問題点に鑑みてなされたものであり、その目的とするところは、操作性の煩雑さを解消し、電子文章を効率よく閲覧することができる電子文章閲覧装置、電子文章閲覧方法、電子文章閲覧プログラム及び携帯電話機を提供することにある。
【００２１】
本発明によれば、文章を閲覧可能に表示する閲覧データを出力する閲覧アプリケーション手段と、
前記閲覧アプリケーション手段から出力される前記閲覧データと当該閲覧データの速読要求を受け付ける速読ボタンとを表示する表示手段と、
前記速読要求を受け付けたとき、前記閲覧アプリケーション手段に対して、前記閲覧データの取得要求を行い、閲覧対象の前記閲覧データを取得する閲覧データ要求手段と、
取得された前記閲覧データの文章に対し、速読ビューアデータに変換する際に使用する、表示フォーマット変換、表示速度変換、スクロール変換を行うための設定データを保存する設定データ保存手段と、
前記速読要求を受け付けたとき、前記閲覧データ要求手段において取得された前記閲覧データの文章を抽出し、抽出された前記文章に対し、保存された前記設定データを参照して、前記設定データに従った前記表示フォーマット変換を行い、前記表示フォーマット変換された文章に対して、前記設定データに従って前記表示速度および前記スクロールが制御される速読ビューアデータを生成し、当該速読ビューアデータを前記閲覧データに替えて前記表示手段に表示させるとともに、当該速読ビューアデータから前記閲覧データに表示を切り替える戻るボタンを前記表示手段に表示させる速読ビューア制御手段と、
を備え、
前記速読ビューア制御手段は、
前記閲覧データ要求手段において取得された前記閲覧データに、図又は写真が含まれるときは、文章部分のみを抽出し、抽出された文章に対して、前記設定データ保存手段の前記設定データに従い、前記速読ビューアデータに変換することを特徴とする電子文章閲覧装置が提供される。
【００２２】
本発明によれば、文章を閲覧可能に表示する閲覧データを出力する閲覧アプリケーションステップと、
前記閲覧アプリケーションステップにおいて出力される前記閲覧データと当該閲覧データの速読要求を受け付ける速読ボタンとを表示する表示ステップと、
前記速読要求を受け付けたとき、前記閲覧データの取得要求を行い、前記閲覧アプリケーションステップで出力される、閲覧対象の前記閲覧データを取得する閲覧データ要求ステップと、
取得された前記閲覧データの文章に対し、速読ビューアデータに変換する際に使用する、表示フォーマット変換、表示速度変換、スクロール変換を行うための設定データを保存する設定データ保存ステップと、
前記速読要求を受け付けたとき、前記閲覧データ要求ステップにおいて取得された前記閲覧データの文章を抽出し、抽出された前記文章に対し、保存された前記設定データを参照して、前記設定データに従った前記表示フォーマット変換を行い、前記表示フォーマット変換された文章に対して、前記設定データに従って前記表示速度および前記スクロールが制御される速読ビューアデータを生成し、当該速読ビューアデータを前記閲覧データに替えて表示するとともに、当該速読ビューアデータから前記閲覧データに表示を切り替える戻るボタンを表示する速読ビューア制御ステップと、
を含み、
前記速読ビューア制御ステップにおいて、
前記閲覧データ要求ステップにおいて取得された前記閲覧データに、図又は写真が含まれるときは、文章部分のみを抽出し、抽出された文章に対して、前記設定データ保存ステップで保存される前記設定データに従い、前記速読ビューアデータに変換することを特徴とする電子文章閲覧方法が提供される。
【００２３】
本発明によれば、文章を閲覧可能に表示する閲覧データを出力する閲覧アプリケーション手順と、
前記閲覧アプリケーション手順で出力される前記閲覧データと当該閲覧データの速読要求を受け付ける速読ボタンとを表示する表示手順と、
前記速読要求を受け付けたとき、前記閲覧データの取得要求を行い、前記閲覧アプリケーション手順で出力される、閲覧対象の前記閲覧データを取得する閲覧データ要求手順と、
取得された前記閲覧データの文章に対し、速読ビューアデータに変換する際に使用する、表示フォーマット変換、表示速度変換、スクロール変換を行うための設定データを保存する設定データ保存手順と、
前記速読要求を受け付けたとき、前記閲覧データ要求手順において取得された前記閲覧データの文章を抽出し、抽出された前記文章に対し、保存された前記設定データを参照して、前記設定データに従った前記表示フォーマット変換を行い、前記表示フォーマット変換された文章に対して、前記設定データに従って前記表示速度および前記スクロールが制御される速読ビューアデータを生成し、当該速読ビューアデータを前記閲覧データに替えて表示するとともにと、当該速読ビューアデータから前記閲覧データに表示を切り替える戻るボタンを表示する速読ビューア制御手順と、
をコンピュータに実行させ、
さらに、前記速読ビューア制御手順において、
前記閲覧データ要求手順において取得された前記閲覧データに、図又は写真が含まれるときは、文章部分のみを抽出し、抽出された文章に対して、前記設定データ保存手順で保存される前記設定データに従い、前記速読ビューアデータに変換する手順をコンピュータに実行させることを特徴とする電子文章閲覧プログラムが提供される。
【００２４】
本発明によれば、文章を閲覧可能に表示する閲覧データを出力する閲覧アプリケーション手段と、
前記閲覧アプリケーション手段から出力される前記閲覧データと当該閲覧データの速読要求を受け付ける速読ボタンとを表示する表示手段と、
前記速読要求を受け付けたとき、前記閲覧アプリケーション手段に対して、前記閲覧データの取得要求を行い、閲覧対象の前記閲覧データを取得する閲覧データ要求手段と、
取得された前記閲覧データの文章に対し、速読ビューアデータに変換する際に使用する、表示フォーマット変換、表示速度変換、スクロール変換を行うための設定データを保存する設定データ保存手段と、
前記速読要求を受け付けたとき、前記閲覧データ要求手段において取得された前記閲覧データの文章を抽出し、抽出された前記文章に対し、保存された前記設定データを参照して、前記設定データに従った前記表示フォーマット変換を行い、前記表示フォーマット変換された文章に対して、前記設定データに従って前記表示速度および前記スクロールが制御される速読ビューアデータを生成し、当該速読ビューアデータを前記閲覧データに替えて前記表示手段に表示させるとともに、当該速読ビューアデータから前記閲覧データに表示を切り替える戻るボタンを前記表示手段に表示させる速読ビューア制御手段と、
を備え、
前記速読ビューア制御手段は、
前記閲覧データ要求手段において取得された前記閲覧データに、図又は写真が含まれるときは、文章部分のみを抽出し、抽出された文章に対して、前記設定データ保存手段の前記設定データに従い、前記速読ビューアデータに変換することを特徴とする携帯電話機が提供される。
【００２５】
本発明によれば、操作性の煩雑さを解消し、電子文章を効率よく閲覧することができる電子文章閲覧装置、電子文章閲覧方法、電子文章閲覧プログラム及び携帯電話機が提供される。
【図面の簡単な説明】
【００２６】
上述した目的、およびその他の目的、特徴および利点は、以下に述べる好適な実施の形態、およびそれに付随する以下の図面によってさらに明らかになる。【００２７】
【図１】本発明に係る電子文章閲覧装置の概略構成を示すブロック図である。
【図２】図１における設定データ保存部に設定される設定データを説明する図である。
【図３】図１における速読ビューア制御部の概略構成を示すブロック図である。
【図４】図１における表示部での閲覧表示及び速読ビューア表示の切り替え状態を説明する図である。
【図５】図１における電子文章閲覧装置の一連の動作を説明するフローチャートである。
【図６】速読ビューアに設定された設定データの変更を行う動作を説明するフローチャートである。
【発明を実施するための最良の形態】
【００２８】
以下、本発明の実施の形態について図面を参照して説明する。尚、すべての図面において、同様な構成要素には同様の符号を付し、適宜、説明を省略する。【００２９】
（第１の実施の形態）
図１は、本発明に係る電子文章閲覧装置５００を携帯電話機に搭載し、速読ビューアとして機能させた場合の概略構成を示すブロック図である。【００３０】
図１に示すように、電子文章閲覧装置５００は、速読ビューア１００と、閲覧アプリケーション部２００と、表示部３００とを備えている。なお、携帯電話機は、閲覧アプリケーション部２００と表示部３００とを有している。そのため、電子文章閲覧装置５００は、携帯電話機に設けられた閲覧アプリケーション部２００と表示部３００とを利用する。【００３１】
速読ビューア１００は、閲覧データ要求部１０１と、設定データ保存部１０２と、速読ビューア制御部１０３とを有している。速読ビューア１００は、これらにより、閲覧アプリケーション部２００から閲覧データを読み出して、速読ビューアデータに変換し、変換された速読ビューアデータを表示部３００に表示する。なお、速読ビューア１００は、このような動作を、ＲＯＭ（Read Only Memory）からプログラムを読み出して、ＣＰＵ（Central Processing Unit）がそのプログラムを実行することにより、実現することができる。【００３２】
閲覧アプリケーション部２００は、携帯電話機に搭載されている機能であり、メール、ブラウザ、ドキュメント、電子書籍などの電子文章を閲覧可能とするアプリケーション（ソフトウェア）である。【００３３】
表示部３００は、携帯電話機に搭載されている機能であり、例えば、ＬＣＤ（Liquid Crystal Display）（液晶表示部）で構成される。【００３４】
閲覧データ要求部１０１は、閲覧アプリケーション部２００に対して、閲覧データの取得要求を行い、閲覧アプリケーション部２００から閲覧対象のデータを取得する。また、閲覧データ要求部１０１は、閲覧データの表示要求を行い、閲覧アプリケーション部２００から表示部３００に、閲覧データを表示させる。【００３５】
設定データ保存部１０２は、表示フォーマット変換、表示速度変換、スクロール変換の設定データを保存する。なお、設定データ保存部１０２に保存されている設定データに変更がある場合には、設定データ保存部１０２は、速読ビューア制御部１０３に設定データを変更する変更通知が行われる。【００３６】
速読ビューア制御部１０３は、閲覧データ要求部１０１から閲覧データが入力されると、閲覧データのデータ解析を行う。速読ビューア制御部１０３は、設定データ保存部１０２に保存されている設定データを参照して、解析されたデータを速読ビューアデータに変換して表示部３００に表示する。【００３７】
図２は、設定データ保存部１０２（図１）が有する設定データを説明する図である。図２に示すように、設定データ保存部１０２には、表示フォーマット変換の設定項目に、縦／横表示の選択情報、使用フォントの選択情報、フォントサイズの選択情報、行間の選択情報が保存されている。また、表示速度変換の設定項目には、表示速度、例えば、２０００文字／分などの選択情報が保存されている。また、スクロール変換の設定項目には、ページスクロール／行スクロールの選択情報が保存されている。【００３８】
図３は、速読ビューア制御部１０３（図１）の概略構成を示すブロック図である。図３に示すように、速読ビューア制御部１０３は、閲覧データ解析部１０３Ａ、フォーマット変換部１０３Ｂ、表示速度制御部１０３Ｃ及び文章自動スクロール制御部１０３Ｄを備えている。【００３９】
閲覧データ解析部１０３Ａは、入力された閲覧データを解析し、図、写真が含まれている場合には、文章のみを抽出する。【００４０】
フォーマット変換部１０３Ｂは、閲覧データ解析部１０３Ａで抽出された文章に対して、設定データ保存部１０２に保存されている表示フォーマット変換の設定データを参照し、縦書、横書の変換、使用フォントの変換、フォントサイズの変換、行間の変換を行う。【００４１】
表示速度制御部１０３Ｃは、フォーマット変換部１０３Ｂにより変換された文章に対して、設定データ保存部１０２に保存されている表示速度変換の設定データを参照して、表示速度の制御（例えば、２０００文字／分）を行う。【００４２】
文章自動スクロール制御部１０３Ｄは、表示速度制御部１０３Ｃによって表示速度の制御が行われた文章に対して、設定データ保存部１０２に保存されているスクロール変換の設定データを参照して、ページスクロール又は行スクロールの制御を行う。【００４３】
図４は、表示部３００での閲覧表示及び速読ビューア表示の切り替え状態を説明する図である。図４に示すように、表示部３００には、閲覧データとして、例えば、メール、ブラウザ、ドキュメント、電子辞書（電子書籍）の電子文章が表示されている。また、速読ビューア表示に切り替えられた速読ビューアが表示されている。【００４４】
そして、表示部３００の閲覧データの表示画面には、速読ボタン１０３Ｅがそれぞれ表示されている。表示部３００は、閲覧データの表示画面の速読ボタン１０３Ｅが押されると、閲覧データの表示画面から速読ビューアの表示画面に切り替わる。【００４５】
これに対し、速読ビューアの表示画面には、戻るボタン２００Ａが表示されている。表示部３００は、速読ビューアの表示画面の戻るボタン２００Ａが押されると、速読ビューアの表示画面から閲覧データの表示画面に切り替わる。【００４６】
図５は、図１に示した電子文章閲覧装置５００の一連の動作を説明するフローチャートである。【００４７】
図５に示すように、ステップＳ４０１において、閲覧アプリケーション部２００（図１）は、メールの閲覧要求があるか否かを判断する。ここで、メールの閲覧要求がある場合には（ステップＳ４０１のＹＥＳ）、ステップＳ４０５Ａ（閲覧データ表示）に進む。一方、メールの閲覧要求がない場合には（ステップＳ４０１のＮＯ）、ステップＳ４０２へ進む。【００４８】
ステップＳ４０２において、閲覧アプリケーション部２００は、ブラウザの閲覧要求があるか否かを判断する。ここで、ブラウザの閲覧要求がある場合には（ステップＳ４０２のＹＥＳ）、ステップＳ４０５Ｂ（閲覧データ表示）に進む。一方、ブラウザの閲覧要求がない場合には（ステップＳ４０２のＮＯ）、ステップＳ４０３へ進む。【００４９】
ステップＳ４０３において、閲覧アプリケーション部２００（図１）は、ドキュメントの閲覧要求があるか否かを判断する。ここで、ドキュメントの閲覧要求がある場合には（ステップＳ４０３のＹＥＳ）、ステップＳ４０５Ｃ（閲覧データ表示）に進む。一方、ドキュメントの閲覧要求がない場合には（ステップＳ４０３のＮＯ）、ステップＳ４０４へ進む。【００５０】
ステップＳ４０４において、閲覧アプリケーション部２００（図１）は、電子書籍の閲覧要求があるか否かを判断する。ここで、電子書籍の閲覧要求がある場合には（ステップＳ４０４のＹＥＳ）、ステップＳ４０５Ｄ（閲覧データ表示）に進む。一方、電子書籍の閲覧要求がない場合には（ステップＳ４０４のＮＯ）、処理を終了する。【００５１】
ステップＳ４０５Ａ〜Ｄにおいて、閲覧アプリケーション部２００は、要求のあった閲覧データを表示部３００に表示する。例えば、ステップＳ４０５Ａでは、閲覧アプリケーション部２００は、閲覧要求のあったメールを表示部３００に表示する。また、ステップＳ４０５Ｂでは、閲覧アプリケーション部２００は、閲覧要求のあったブラウザを表示部３００に表示する。また、ステップＳ４０５Ｃでは、閲覧要求のあったドキュメントを表示部３００に表示する。また、ステップＳ４０５Ｄでは、閲覧アプリケーション部２００は、閲覧要求のあった電子書籍を表示部３００に表示する。【００５２】
ステップＳ４０６において、閲覧データ要求部１０１は、表示部３００に表示された閲覧データの画面で速読ボタン１０３Ｅが押されたか否かを判断する。ここで、閲覧データ要求部１０１は、速読ボタン１０３Ｅが押されていない場合には（ステップＳ４０６のＮＯ）、処理を終了する。【００５３】
一方、閲覧データ要求部１０１は、速読ボタン１０３Ｅが押された場合には（ステップＳ４０６のＹＥＳ）、表示部３００から閲覧データ要求部１０１に速読ビューアの要求があり、この速読ビューアの要求により、閲覧データ要求部１０１から閲覧アプリケーション部２００に対して、閲覧データ取得の要求が行われる。そして、閲覧データ要求部１０１は、閲覧アプリケーション部２００から閲覧データを取得する（ステップＳ４０７）。【００５４】
ステップＳ４０８において、速読ビューア制御部１０３は、閲覧データ要求部１０１から閲覧データが入力され、設定データ保存部１０２を参照して、閲覧データを速読ビューアに変換する。【００５５】
ステップＳ４０９において、速読ビューア制御部１０３は、表示部３００に速読ビューアデータを送信し、表示部３００が速読ビューアデータを速読ビューアとして表示する。【００５６】
ステップＳ４１０において、表示部３００は、表示部３００に表示された速読ビューアの画面で、戻るボタン２００Ａが押されたか否かを判断する。ここで、表示部３００は、戻るボタン２００Ａが押されない場合には（ステップＳ４１０のＮＯ）、速読ビューア画面のままである。【００５７】
一方、戻るボタン２００Ａが押された場合には（ステップＳ４１０のＹＥＳ）、表示部３００は、速読ビューアデータに変換された該当する閲覧データの閲覧要求を行い、ステップＳ４０１に戻る。なぜなら、速読ビューアの画面を見ていたユーザは、速読ビューアから閲覧データの表示画面に戻って、抽出されなかった図、写真を見たい場合があるためである。【００５８】
このように、本実施の形態によれば、電子文章閲覧装置５００は、パーソナルコンピュータで作成された文章などの多量の文章が含まれているものを、限られた時間で読む必要がある場合には、所持している携帯電話機を閲覧ツールとして活用することにより、操作性の煩雑さを解消し、文章を効率よく閲覧することができる。【００５９】
また、携帯電話機は、常に所持している可能性が高いので、いつでも閲覧することができ、時間の有効活用（効率化）を図ることができる。【００６０】
また、携帯電話機で文章を閲覧する場合には、ユーザが一番見やすいフォーマットで電子文章を表示し、ユーザの速読能力にあったスピードでユーザに表示することができるので、さらに時間の有効活用（効率化）を図ることができる。【００６１】
次に、電子文章閲覧装置５００が速読ビューアを表示している場合に、速読ビューアの設定データを変更する動作について説明する。図６は、電子文章閲覧装置５００が速読ビューアの変更を行う動作を説明するフローチャートである。【００６２】
図６に示すように、ステップＳ４２１において、速読ビューア制御部１０３から表示部３００に速読ビューアデータが送信され、表示部３００が速読ビューアデータの表示を行っているものとする。【００６３】
ステップＳ４２２において、速読ビューア制御部１０３は、設定データ保存部１０２から、表示フォーマット変換の変更通知があったか否かを判断する。ここで、速読ビューア制御部１０３は、設定データ保存部１０２から表示フォーマット変換の変更通知がない場合には（ステップＳ４２２のＮＯ）、ステップＳ４２４に進む。【００６４】
一方、設定データ保存部１０２から表示フォーマット変換の変更通知がある場合には（ステップＳ４２２のＹＥＳ）、速読ビューア制御部１０３は、速読ビューアデータに対して、設定データ保存部１０２を参照して、該当する表示フォーマット変換の変更を行う（ステップＳ４２３）。【００６５】
次に、速読ビューア制御部１０３は、設定データ保存部１０２から、表示速度変換に変更通知があったか否かを判断する（ステップＳ４２４）。ここで、速読ビューア制御部１０３は、設定データ保存部１０２から表示速度変換の変更通知がない場合には（ステップＳ４２４のＮＯ）、ステップＳ４２６に進む。【００６６】
一方、設定データ保存部１０２から表示速度変換の変更通知がある場合には（ステップＳ４２４のＹＥＳ）、速読ビューア制御部１０３は、速読ビューアデータに対して、設定データ保存部１０２を参照して、該当する表示速度変換の変更を行う。【００６７】
次に、速読ビューア制御部１０３は、設定データ保存部１０２から、スクロール変換に変更通知があったか否かを判断する（ステップＳ４２６）。ここで、速読ビューア制御部１０３は、設定データ保存部１０２からスクロール変換の変更通知がない場合には（ステップＳ４２６のＮＯ）、処理を終了する。【００６８】
一方、設定データ保存部１０２からスクロール変換の変更通知がある場合には（ステップＳ４２６のＹＥＳ）、速読ビューア制御部１０３は、速読ビューアデータに対して、設定データ保存部１０２を参照して、該当するスクロール変換の変更を行い、処理を終了する。【００６９】
以上説明したように本実施の形態によれば、電子文章閲覧装置５００は、閲覧データと共に速読ボタンを表示し、速読ボタンが押された場合に、閲覧データの文章に対して、表示フォーマット変換を行うことができる。【００７０】
速読ビューア制御部１０３は、表示フォーマット変換された電子文章に対して、表示速度変換の制御を行い、表示速度変換により制御された電子文章に対してスクロール変換の制御を行い、スクロール変換により制御された電子文章を速読ビューアデータとして、戻るボタン２００Ａと共に表示部３００に表示する。【００７１】
電子文章閲覧装置５００は、戻るボタン２００Ａが押された場合、表示されている速読ビューアデータを閲覧データの表示に切り替えるようにしたので、パーソナルコンピュータで作成された文章などの多量の文章が含まれているものを、限られた時間で読む必要がある場合、操作性の煩雑さを解消して、電子文章を効率よく閲覧することができる。また、電子文章閲覧装置５００は、常に所持する携帯電話機に搭載することができるので、携帯電話機を閲覧ツールとして活用することができ、また携帯電話機の利便性により時間を有効に活用することができる。【００７２】
また、携帯電話機で電子文章を閲覧する場合に、速読ビューアのようなユーザが一番見やすいフォーマットで電子文章を表示し、ユーザの速読能力にあったスピードで表示させることができるので、さらに時間の効率化を図ることができる。【００７３】
また、閲覧データに図、写真が含まれている場合には、文章部分のみを抽出した電子文章に対して表示フォーマット変換を行うようにしたので、さらに時間の効率化を図ることができる。【００７４】
また、電子文章閲覧装置５００は、速読ビューアから閲覧データの画面に容易に戻ることができるので、抽出しなかった図、写真を見ることが可能になる。【００７５】
また、表示フォーマット変換、表示速度変換、スクロール変換の設定データに変更がある場合には、速読ビューアの設定データを容易に変更することができ、速読ビューアを見やすくすることができる。【００７６】
また、本実施の形態によれば、ユーザが速読ビューアにより電子文章を読んでいるとき、例えば、フォントサイズをもっと大きくしたい又は小さくしたい場合、表示速度をもう少し遅くしたい又は早くしたい場合、スクロールをページスクロールから行スクロールにしたい又はこの逆にしたい場合など、容易に速読の条件を変更することができる。従って、ユーザは、自己の好みに合わせて速読ビューアを調整し、適宜、見やすくすることができる。【００７７】
この出願は、２００７年１１月２０日に出願された日本出願特願２００７―３０００２３号を基礎とする優先権を主張し、その開示の全てをここに取り込む。【００７８】
例えば、本発明に係る速読ビューアは、文章の閲覧文章を容易にするための速読ビューアにおいて、閲覧データと共に速読ボタンを表示し又は速読ビューアデータと共に戻るボタンを表示する表示部と、前記閲覧データを前記表示部に表示させる閲覧アプリケーション部と、文章に対して表示フォーマット変換、表示速度変換、スクロール変換を行うための情報データを設定して保存する設定データ保存部と、前記アプリケーションから出力された閲覧データの文章に対して前記設定データ保存部を参照して表示フォーマット変換を行い、表示速度を制御し、スクロール制御を行った速読ビューアデータに変換し、変換した速読ビューアデータを前記表示部に表示させる速読ビューア制御部と、前記表示部に表示された画面の速読ボタンが押され速読要求を受けた場合前記速読ビューア制御部に閲覧データを出力させるために前記閲覧アプリケーション部に対して閲覧データの取得要求を行い、前記表示部に表示された画面の戻しボタンが押され閲覧要求を受けた場合には前記アプリケーション部から前記表示部に閲覧データを表示させるための表示要求を行う閲覧データ要求部とを備えることを特徴とする。【００７９】
また、本発明に係る速読ビューアは、前記設定データ保存部では表示フォーマット変換を行うための情報データとして縦書表示又は横書表示の選択データ、使用フォントの選択データ、フォントサイズの選択データ、行間の選択データを有し、表示速度変換を行うための情報データとして表示速度の選択データを有し、スクロール変換を行うための情報データとしてページスクロール又は行スクロールの選択データを有するようにしても良い。【００８０】
また、本発明に係る速読ビューアは、前記速読ビューア制御部が、前記アプリケーションから出力された閲覧データに対して図、写真が含まれる場合には文章部分のみを抽出し抽出した文章に対して前記設定データ保存部を参照して速読ビューアデータに変換するようにしても良い。【００８１】
また、本発明に係る速読ビューアは、前記表示部に表示されている前記速読ボタンが押されると閲覧データから速読ビューアデータの表示になり、前記表示部に表示されている前記戻りボタンが押されると速読ビューアデータから閲覧データの表示になるようにしても良い。【００８２】
また、本発明に係る速読ビューアは、前記設定データ保存部に保存されている情報データに変更がある場合には、前記設定データ保存部から前記速読ビューア制御部に変更通知を行い、前記速読ビューア制御部は変換された速読ビューアデータに対して変更を行うようにしても良い。【００８３】
例えば、本発明に係る速読ビューア形成方法は、文章の閲覧を容易にするための速読ビューア形成方法において、閲覧データと共に速読ボタンを表示する工程と、速読ボタンが押された場合に、閲覧データの文章に対して表示フォーマット変換を行う工程と、表示フォーマット変換された文章に対して表示速度の制御を行う工程と、表示速度制御された文章に対してスクロールの制御を行う工程と、スクロールの制御を行った文章を速読ビューアデータとして戻しボタンと共に表示する工程と、戻しボタンが押された場合表示されている速読ビューアデータを閲覧データの表示に切り替える工程と、を備えることを特徴とする。【００８４】
また、本発明に係る速読ビューア形成方法は、閲覧データの文章に対して表示フォーマット変換を行う際に閲覧データに図、写真が含まれている場合には文章部分のみを抽出した文章に対して表示フォーマット変換を行うようにしても良い。【００８５】
例えば、本発明に係る速読ビューア形成プログラムは、文章の閲覧を容易にするための速読ビューア形成プログラムにおいて、閲覧データと共に速読ボタンを表示する手順と、速読ボタンが押された場合閲覧データの文章に対して表示フォーマット変換を行う手順と、表示フォーマット変換された文章に対して表示速度の制御を行う手順と、表示速度制御された文章に対してスクロールの制御を行う手順と、スクロールの制御を行った文章を速読ビューアデータとして戻しボタンと共に表示する手順と、戻しボタンが押された場合表示されている速読ビューアデータを閲覧データの表示に切り替える手順とを備えることを特徴とする。【００８６】
また、本発明に係る速読ビューア形成プログラムは、閲覧データの文章に対して表示フォーマット変換を行う際に閲覧データに図、写真が含まれている場合には文章部分のみを抽出した文章に対して表示フォーマット変換を行うようにしても良い。【００８７】
例えば、本発明に係る携帯電話機は、文章の閲覧文章を容易にする携帯電話機において、閲覧データと共に速読ボタンを表示し又は速読ビューアデータと共に戻るボタンを表示する表示部と、前記閲覧データを前記表示部に表示させる閲覧アプリケーション部と、文章に対して表示フォーマット変換、表示速度変換、スクロール変換を行うための情報データを設定して保存する設定データ保存部と、前記アプリケーションから出力された閲覧データの文章に対して前記設定データ保存部を参照して表示フォーマット変換を行い、表示速度を制御し、スクロール制御を行った速読ビューアデータに変換し、変換した速読ビューアデータを前記表示部に表示させる速読ビューア制御部と、前記表示部に表示された画面の速読ボタンが押され速読要求を受けた場合前記速読ビューア制御部に閲覧データを出力させるために前記閲覧アプリケーション部に対して閲覧データの取得要求を行い、前記表示部に表示された画面の戻しボタンが押され閲覧要求を受けた場合には前記アプリケーション部から前記表示部に閲覧データの表示要求を行う閲覧データ要求部とを備えることを特徴とする。【００８８】
また、本発明に係る携帯電話機は、前記速読ビューア制御部は、前記アプリケーションから出力された閲覧データに対して図、写真が含まれる場合には文章部分のみを抽出し抽出した文章に対して前記設定データ保存部を参照して速読ビューアデータに変換するようにしても良い。
以下、参考形態の例を付記する。
１．  文章を閲覧可能に表示する閲覧データを出力する閲覧アプリケーション手段と、
前記閲覧データと当該閲覧データの速読要求を受け付ける速読ボタンとを表示する表示手段と、
前記閲覧アプリケーション手段において、前記閲覧データの取得要求を行い、閲覧対象の前記閲覧データを取得する閲覧データ要求手段と、
取得された前記閲覧データに対し、表示フォーマット変換、表示速度変換、スクロール変換を行うための設定データを保存する設定データ保存手段と、
前記速読ボタンを受け付けると、前記閲覧データ要求手段において取得された前記閲覧データに対し、保存された前記設定データを参照して、前記閲覧データの表示フォーマットを変換し、当該閲覧データの表示速度を制御し、当該閲覧データのスクロールが制御された速読ビューアデータに変換し、当該速読ビューアデータと、当該速読ビューアデータから前記閲覧データに変換する戻るボタンとを表示する速読ビューア制御手段と、
を備えることを特徴とする電子文章閲覧装置。
２．  前記設定データ保存手段は、
前記表示フォーマット変換を行うための設定データとして、縦書表示又は横書表示の選択データ、使用フォントの選択データ、フォントサイズの選択データ、行間の選択データの少なくとも何れか１つを有し、
前記表示速度変換を行うための選択データとして、表示速度の選択データを有し、
前記スクロール変換を行うための情報データとして、ページスクロール又は行スクロールの選択データを有する
ことを特徴とする１．に記載の電子文章閲覧装置。
３．  前記速読ビューア制御手段は、
前記閲覧アプリケーション手段から出力された閲覧データに対して、図又は写真が含まれるときは、文章部分のみを抽出し、抽出された文章に対して前記設定データ保存手段を参照し、前記速読ビューアデータに変換する
ことを特徴とする１．又は２．に記載の電子文章閲覧装置。
４．  表示された前記速読ボタンが選択されると、前記閲覧データから前記速読ビューアデータの表示になり、
表示された前記戻るボタンが選択されると、前記速読ビューアデータから前記閲覧データの表示になる
ことを特徴とする１．に記載の電子文章閲覧装置。
５．  前記設定データ保存手段に保存された設定データに変更があるときは、
前記設定データ保存手段から前記速読ビューア制御手段へ前記設定データに変更があった旨の変更通知を行い、
前記速読ビューア制御手段は、
前記速読ビューアデータに対して、前記設定データの変更を行う
ことを特徴とする１．に記載の電子文章閲覧装置。
６．  文章を閲覧可能に表示する閲覧データを出力する閲覧アプリケーションステップと、
前記閲覧データと当該閲覧データの速読要求を受け付ける速読ボタンとを表示する表示ステップと、
前記閲覧アプリケーションステップにおいて、前記閲覧データの取得要求を行い、閲覧対象の前記閲覧データを取得する閲覧データ要求ステップと、
取得された前記閲覧データに対し、表示フォーマット変換、表示速度変換、スクロール変換を行うための設定データを保存する設定データ保存ステップと、
前記速読ボタンを受け付けると、前記閲覧データ要求ステップにおいて取得された前記閲覧データに対し、保存された前記設定データを参照して、前記閲覧データの表示フォーマットを変換し、当該閲覧データの表示速度を制御し、当該閲覧データのスクロールが制御された速読ビューアデータに変換し、当該速読ビューアデータと、当該速読ビューアデータから前記閲覧データに変換する戻るボタンとを表示する速読ビューア制御ステップと、
を含むことを特徴とする電子文章閲覧方法。
７．  文章を閲覧可能に表示する閲覧データを出力する閲覧アプリケーション手順と、
前記閲覧データと当該閲覧データの速読要求を受け付ける速読ボタンとを表示する表示手順と、
前記閲覧アプリケーション手順において、前記閲覧データの取得要求を行い、閲覧対象の前記閲覧データを取得する閲覧データ要求手順と、
取得された前記閲覧データに対し、表示フォーマット変換、表示速度変換、スクロール変換を行うための設定データを保存する設定データ保存手順と、
前記速読ボタンを受け付けると、前記閲覧データ要求手順において取得された前記閲覧データに対し、保存された前記設定データを参照して、前記閲覧データの表示フォーマットを変換し、当該閲覧データの表示速度を制御し、当該閲覧データのスクロールが制御された速読ビューアデータに変換し、当該速読ビューアデータと、当該速読ビューアデータから前記閲覧データに変換する戻るボタンとを表示する速読ビューア制御手順と、
をコンピュータに実行させることを特徴とする電子文章閲覧プログラム。
８．  文章を閲覧可能に表示する閲覧データを出力する閲覧アプリケーション手段と、
前記閲覧データと当該閲覧データの速読要求を受け付ける速読ボタンとを表示する表示手段と、
前記閲覧アプリケーション手段において、前記閲覧データの取得要求を行い、閲覧対象の前記閲覧データを取得する閲覧データ要求手段と、
取得された前記閲覧データに対し、表示フォーマット変換、表示速度変換、スクロール変換を行うための設定データを保存する設定データ保存手段と、
前記速読ボタンを受け付けると、前記閲覧データ要求手段において取得された前記閲覧データに対し、保存された前記設定データを参照して、前記閲覧データの表示フォーマットを変換し、当該閲覧データの表示速度を制御し、当該閲覧データのスクロールが制御された速読ビューアデータに変換し、当該速読ビューアデータと、当該速読ビューアデータから前記閲覧データに変換する戻るボタンとを表示する速読ビューア制御手段と、
を備えることを特徴とする携帯電話機。
【産業上の利用可能性】
【００８９】
本発明は、電子データを閲覧する電子文章閲覧装置、携帯電話機、ＰＨＳ（簡易型携帯電話機）、ＰＤＡ（携帯情報端末）等に適用することができる。
【図１】
0005423395.tif 000002
【図２】
0005423395.tif 000003
【図３】
0005423395.tif 000004
【図４】
0005423395.tif 000005
【図５】
0005423395.tif 000006
【図６】
0005423395.tif 000007